(57)【要約】【課題】  マークを用紙に印字する場合に、マークの印字位置が画像情報と重なり、付加したマークや画像が見ずらくなる問題があった。そこで、画像情報に依存することなく、すべての画像で可視性の良いマーク付加を実現するシステムを提供する。【解決手段】  ナンバリングするための数字を文字情報としてあらかじめ保持し、ユーザの指定する個所にナンバリングされるようなオーバレイ画像を生成し、元の画像情報と重ね合わせて印刷を行う印刷処理装置において、該オーバレイ画像と元の画像情報との重なりを検知する手段を備える。また、重なりが検知された際に、何も描画されない領域を探索する手段と、該領域に該オーバレイ画像が描画されるようにオフセットをずらして描画する手段を備える。【選択図】  図１
2007069586.tif 000002
【特許請求の範囲】
【請求項１】
ナンバリングするための数字を文字情報としてあらかじめ保持し、ユーザの指定する個所にナンバリングされるようなオーバレイ画像を生成し、元の画像情報と重ね合わせて印刷を行う印刷処理システムにおいて、
該オーバレイ画像と元の画像情報との重なりを検知する手段を具備することを特徴とする印刷処理システム。
【請求項２】
該ナンバリング情報が、用紙のページ番号を示す情報であることを特徴とする請求項１に記載の印刷処理システム。
【請求項３】
該ナンバリング情報が、用紙の部番号を示す情報であることを特徴とする請求項１に記載の印刷処理システム。
【請求項４】
該オーバレイ画像と元の画像情報との重なりを検知する手段として、描画オブジェクトのバウンディングボックスの重なりを元に検知する請求項１に記載の印刷処理システム。
【請求項５】
重なりが検知された際に、何も描画されない領域を探索する手段と、
該領域に該オーバレイ画像が描画されるようにオフセットをずらして描画する手段と、を具備することを特徴とする請求項１に記載の印刷処理システム。
【請求項６】
何も描画されない領域を探索する手段として、ユーザの指定個所から近い領域から探索していく手段を具備することを特徴とする請求項５に記載の印刷処理システム。
【請求項７】
探索する場所の候補をあらかじめ位置情報として保持する手段と、
該位置情報を検索していき、何も描画されない領域を検知する手段と、を具備することを特徴とする請求項５に記載の印刷処理システム。
【発明の詳細な説明】
【技術分野】
【０００１】
本発明は、印刷情報に基づく画像を用紙上に印刷する印刷処理システムおよび印刷方法およびプログラムおよび記録媒体に関するものである。
【背景技術】
【０００２】
従来、デジタル式複写機やプリンタなどの印刷処理システムにあっては、出力画像にページ情報や、部情情報等を示すナンバリングマークを付加するため、印刷処理装置内部の制御手段により、各用紙の情報を管理し、アプリケーションから送られる画像情報と共に用紙に印字を行うような印刷処理装置が提案されていた。
【０００３】
また、予めプリンタ内で生成しておいた画像とアプリケーションから送られる画像とを重ね合せて印刷するオーバレイ印刷という手法が存在し、プリンタにナンバリングマークをフォントとして保持し、ユーザの指定する個所にナンバリングマークが印字されるようなオーバレイ画像を生成し、元の画像情報と重ね合わせて印刷する手法が提案されていた。
【０００４】
又、別の従来例としては、特許文献１をあげることが出来る。
【特許文献１】特開2004-160692号公報
【発明の開示】
【発明が解決しようとする課題】
【０００５】
しかしながら、このような印刷処理装置において、マークを用紙に印字する場合に、マークの印字位置が画像情報と重なり、付加したマークや画像が見ずらくなる問題があった。そこで、画像情報に依存することなく、すべての画像で可視性の良いマーク付加を実現するシステムを提供することを目的とする。
【課題を解決するための手段】
【０００６】
上記目的を達成する本出願に関わる第１の発明の印刷処理システムは以下に示す構成を備える。
【０００７】
ナンバリングするための数字を文字情報としてあらかじめ保持し、ユーザの指定する個所にナンバリングされるようなオーバレイ画像を生成し、元の画像情報と重ね合わせて印刷を行う印刷処理システムにおいて、該オーバレイ画像と元の画像情報との重なりを検知する手段を備える。かかる構成において、重なりが生じて可視性が悪くなることを検知することが可能となる。
【０００８】
また、上記目的を達成する本出願に関わる第２の発明の印刷処理システムは以下に示す構成を備える。
【０００９】
第１の発明の印刷処理システムにおいて、該ナンバリング情報が、用紙のページ番号を示す情報である特徴を備える。
【００１０】
また、上記目的を達成する本出願に関わる第３の発明の印刷処理システムは以下に示す構成を備える。
【００１１】
第１の発明の印刷処理システムにおいて、該ナンバリング情報が、用紙の部番号を示す情報である特徴を備える。
【００１２】
また、上記目的を達成する本出願に関わる第４の発明の印刷処理システムは以下に示す構成を備える。
【００１３】
該オーバレイ画像と元の画像情報との重なりを検知する手段として、描画オブジェクトのバウンディングボックスの重なりを元に検知する特徴を備える。
【００１４】
また、上記目的を達成する本出願に関わる第５の発明の印刷処理システムは以下に示す構成を備える。
【００１５】
第１の発明の印刷処理システムにおいて、重なりが検知された際に、何も描画されない領域を探索する手段と、該領域に該オーバレイ画像が描画されるようにオフセットをずらして描画する手段を備える。
【００１６】
かかる構成において、どんなアプリケーションのドキュメントに関してもナンバリングする数字と重なりを防ぎ、可視性の良い印刷結果を提供することが可能となる。
【００１７】
また、上記目的を達成する本出願に関わる第６の発明の印刷処理システムは以下に示す構成を備える。
【００１８】
第５の発明の印刷処理システムにおいて、何も描画されない領域を探索する手段として、ユーザの指定個所から近い領域から探索していく手段を備える。
【００１９】
かかる構成において、ユーザの意図した出力結果により近く可視性の良い出力結果を提供することが実現できる。
【００２０】
また、上記目的を達成する本出願に関わる第７の発明の印刷処理システムは以下に示す構成を備える。
【００２１】
第５の発明の印刷処理システムにおいて、探索する場所の候補をあらかじめ位置情報として保持する手段と、該位置情報を検索していき、何も描画されない領域を検知する手段を備える。
【００２２】
かかる構成において、描画されない領域を検知する処理を高速化することが可能となる。
【発明の効果】
【００２３】
課題を解決する本出願に関わる第１の発明の印刷処理システムは以下に示す構成を備える。
【００２４】
ナンバリングするための数字を文字情報としてあらかじめ保持し、ユーザの指定する個所にナンバリングされるようなオーバレイ画像を生成し、元の画像情報と重ね合わせて印刷を行う印刷処理システムにおいて、該オーバレイ画像と元の画像情報との重なりを検知する手段を備える。
【００２５】
かかる構成において、重なりが生じて可視性が悪くなることを検知することが可能となる。
【００２６】
また、課題を解決する本出願に関わる第２の発明の印刷処理システムは以下に示す構成を備える。
【００２７】
第１の発明の印刷処理システムにおいて、該ナンバリング情報が、用紙のページ番号を示す情報である特徴を備える。
【００２８】
また、課題を解決する本出願に関わる第３の発明の印刷処理システムは以下に示す構成を備える。
【００２９】
第１の発明の印刷処理システムにおいて、該ナンバリング情報が、用紙の部番号を示す情報である特徴を備える。
【００３０】
また、課題を解決する本出願に関わる第４の発明の印刷処理システムは以下に示す構成を備える。
【００３１】
該オーバレイ画像と元の画像情報との重なりを検知する手段として、描画オブジェクトのバウンディングボックスの重なりを元に検知する特徴を備える。
【００３２】
また、課題を解決する本出願に関わる第５の発明の印刷処理システムは以下に示す構成を備える。
【００３３】
第１の発明の印刷処理システムにおいて、重なりが検知された際に、何も描画されない領域を探索する手段と、該領域に該オーバレイ画像が描画されるようにオフセットをずらして描画する手段を備える。
【００３４】
かかる構成において、どんなアプリケーションのドキュメントに関してもナンバリングする数字と重なりを防ぎ、可視性の良い印刷結果を提供することが可能となる。
【００３５】
また、課題を解決する本出願に関わる第６の発明の印刷処理システムは以下に示す構成を備える。
【００３６】
第５の発明の印刷処理システムにおいて、何も描画されない領域を探索する手段として、ユーザの指定個所から近い領域から探索していく手段を備える。
【００３７】
かかる構成において、ユーザの意図した出力結果により近く可視性の良い出力結果を提供することが実現できる。
【００３８】
また、課題を解決する本出願に関わる第７の発明の印刷処理システムは以下に示す構成を備える。
【００３９】
第５の発明の印刷処理システムにおいて、探索する場所の候補をあらかじめ位置情報として保持する手段と、該位置情報を検索していき、何も描画されない領域を検知する手段を備える。
【００４０】
かかる構成において、描画されない領域を検知する処理を高速化することが可能となる。
【発明を実施するための最良の形態】
【００４１】
以下、本発明をレーザービームプリンタ（以下、ＬＢＰと略す）に適用し、図面を用いて更に詳細に説明する。
【００４２】
＜プリンタの概要＞
本発明をプリンタ制御システムに適用した場合の例を示す。ここでは、本実施形態の構成を説明する前に、本実施形態を適用するに好適なプリンタの構成について、図を参照しながら説明する。
【００４３】
なお、本実施形態を適用するプリンタは、レーザービームプリンタ及びインクジェットプリンタに限られるものではなく、他のプリント方式のプリンタでも良いことは言うまでもない。また更に、本発明を適用するソフトウェアは、プリンタ制御システムに限ったものではなく、ワープロ（ワードプロセッサ）系ソフトウェア、表計算系ソフトウェア、作図系ソフトウェア等に幅広く応用可能であるも併せて補足しておく。
【００４４】
図１は、本発明の１つの実施形態に係る画像記録装置のシステム構成の概略を示す図である。
【００４５】
図において、データ処理装置１０１は、例えば、コンピュータであり、画像処理装置制御コードの供給源、あるいはプリンタの制御装置として機能する。この実施の形態においては、画像記録装置１０２として、ＬＢＰを用いている。本実施形態において適用される画像記録装置は、ＬＢＰに限られるものではなく、インクジェットプリンタ等他のプリント方式のプリンタでもよいことは言うまでもない。
【００４６】
プリンタコントローラ１０３は、データ処理装置１０１から供給される画像処理装置制御コード（例えば、ＥＳＣコード、ページ記述言語、バンド記述言語等）中の画像情報に基づいて、ページ毎にラスタデータを生成し、プリンタエンジン１０５に送出する。
【００４７】
プリンタエンジン１０５は、プリンタコントローラ１０３から供給されるラスタデータに基づいて、感光ドラム上に潜像を形成し、その潜像を記録媒体上に転写・定着（電子写真方式）することにより画像を記録する。
【００４８】
パネル部１０４は、ユーザインタフェースとして使用される。ユーザは、パネル部１０４を操作することにより、所望の動作を指示することができる。また、パネル部１０４には、プリンタ１０２の処理内容や、ユーザへの警告内容が表示される。
【００４９】
図２は、タンデム方式のカラープリンタ１０２の構成を説明する断面図である。
【００５０】
図において、２０１は、プリンタ筐体である。２０２は、ユーザが各種指示を与えるためのスイッチ、メッセージやプリンタの設定内容等を表示するためのＬＥＤ表示器やＬＣＤ表示器等が配された操作パネルであり、図１に示すパネル部１０４の一態様である。２０３は、ボード収容部であり、ビデオコントローラ１０３及びプリンタエンジン１０５の電子回路部分を構成するボードを収容する。
【００５１】
２２０は、用紙（記録媒体）Ｓを保持する用紙カセットであり、不図示の仕切り板によって電気的に用紙サイズを検知する機構を有する。２２１は、カセットクラッチであり、用紙カセット２２０上に載置された用紙Ｓの最上位の一枚を取り出して、取り出した用紙Ｓを不図示の駆動手段から伝達される駆動力によって給紙ローラ２２２まで搬送するカムを有する。このカムは、給紙の度に間欠的に回転し、１回転に対応して１枚の用紙Ｓを給紙する。２２３は用紙検知センサで、それぞれ用紙カセット２２０に保持されている用紙Ｓの量を検知する。
【００５２】
給紙ローラ２２２は、用紙Ｓの先端部をレジストシャッタ２２４まで搬送するローラである。２２４は、レジストシャッタであり、用紙Ｓを押圧することにより給紙を停止することができる。
【００５３】
２３０は、手差しトレイであり、２３１は、手差し給紙クラッチである。手差し給紙クラッチ２３１は、用紙Ｓの先端を手差し給紙ローラ２３２まで搬送するために使用され、手差し給紙ローラ２３２は、用紙Ｓの先端をレジストシャッタ２２４まで搬送するために使用される。画像記録に供する用紙Ｓは、用紙カセット２２０及び手差しトレイ２３０のいずれかの給紙手段を選択して給紙される。
【００５４】
プリンタエンジン１０５は、ビデオコントローラ１０３と所定の通信プロトコルにしたがって通信を行い、ビデオコントローラ部１０３からの指示にしたがって用紙カセット２２０手差しトレイ２３０の中からいずれかの給紙手段を選択し、印刷の開始指示に応じて該当する給紙手段よりレジストシャッタ２２４まで用紙Ｓを搬送する。なお、プリンタエンジン１０５は、給紙手段、潜像の形成、転写、定着等の電子写真プロセスに関する機構、排紙手段及びそれらの制御手段を含む。
【００５５】
２０４ａ、２０４ｂ、２０４ｃ、２０４ｄは、感光ドラム２０５ａ、２０５ｂ、２０５ｃ、２０５ｄやトナー保持部等を有する画像記録部であり、電子写真プロセスにより、用紙Ｓ上にトナー像を形成する。一方、２０６ａ、２０６ｂ、２０６ｃ、２０６ｄは、レーザスキャナ部であり、画像記録部にレーザビームによる画像情報を供給する。
【００５６】
画像記録部２０４ａ、２０４ｂ、２０４ｃ、２０４ｄには、用紙Ｓを搬送する用紙搬送ベルト２５０が複数の回転ローラ２５１〜２５４によって用紙搬送方向（図の下から上方向）に扁平に張設され、その最上流部においては、バイアスを印加した吸着ローラ２２５によって、用紙を用紙搬送ベルト２５０に静電吸着させる。またこのベルト搬送面に対向して４個の感光ドラム２０５ａ、２０５ｂ、２０５ｃ、２０５ｄが直線状に配設されており、画像形成手段を構成している。画像記録部２０４ａ、２０４ｂ、２０４ｃ、２０４ｄのそれぞれには、感光ドラムの周辺近傍を順次取り囲んで、帯電器、現像器が配置されている。
【００５７】
レーザスキャナ部２０６ａ、２０６ｂ、２０６ｃ、２０６ｄにおいて、２０７ａ、２０７ｂ、２０７ｃ、２０７ｄは、レーザユニットであり、プリンタコントローラ１０３から送出される画像信号（／ＶＩＤＥＯ信号）に応じて、内蔵の半導体レーザを駆動し、レーザビームを発射する。レーザユニット２０７ａ、２０７ｂ、２０７ｃ、２０７ｄから発せられたレーザビームは、ポリゴンミラー（回転多面鏡）２０８ａ、２０８ｂ、２０８ｃ、２０８ｄにより走査され、感光ドラム２０５ａ、２０５ｂ、２０５ｃ、２０５ｄ上に潜像を形成する。
【００５８】
２６０は、定着器で、画像記録部２０４ａ、２０４ｂ、２０４ｃ、２０４ｄにより用紙Ｓに形成されたトナー画像を記録紙Ｓに熱定着させる。２６１は、搬送ローラで、用紙Ｓを排紙搬送する。２６２は、排紙センサで、用紙Ｓの排紙状態を検知する。２６３は、排紙ローラ兼両面印刷用搬送路切替えローラで、用紙Ｓを排紙方向へ搬送し、用紙Ｓの搬送指示が排紙の場合はそのまま排紙トレイ２６４に排紙し、搬送指示が両面搬送の場合は、用紙Ｓの後端が排紙センサ２６２を通過した直後に回転方向を逆向きに変え、スイッチバックすることにより用紙Ｓを両面印刷用搬送路２７０へ搬送する。２６５は排紙積載量検知センサで、排紙トレイ２６４上に積載された用紙Ｓの積載量を検知する。
【００５９】
２７０は、両面印刷用搬送路であり、排紙ローラ兼両面印刷用搬送路切替えローラ２６３により両面印刷用に搬送された用紙Ｓは、両面搬送ローラ２７１〜２７４によって再びレジストシャッタ２２４まで搬送されて画像記録部２０４ａ、２０４ｂ、２０４ｃ、２０４ｄへの搬送指示を待つ。
【００６０】
なお、プリンタ１０２には、さらにオプションカセットや封筒フィーダ等のオプションユニットを装備することができる。
【００６１】
図３は、プリンタコントローラ１０３の構成例を示すブロック図である。
【００６２】
図において、３０１は、パネル部１０４とのデータ通信を行うパネルインタフェース部である。ＣＰＵ３０９は、パネルインタフェース部３０１を介して、ユーザがパネル部１０４において設定・指示した内容を確認することができる。３０２は、ネットワークを介してホストコンピュータ等のデータ処理装置１０１と双方向に通信接続するためのホストインタフェース部である。３０６は、プリンタエンジン１０５と通信接続するためのエンジンインタフェース部である。ＣＰＵ３０９は、エンジンインタフェース部３０６を介して、プリンタエンジン１０５の状態を認識することができる。
【００６３】
３０３は、データ処理装置１０１より供給された画像処理装置制御コードに基づいて、プリンタエンジン１０５に供給するラスタデータを生成（ラスタライズ）する画像データ発生部である。３０５は、生成したラスタデータを一時的に保持するための画像メモリである。３０９は、ＲＯＭ３０４に保持された制御プログラムコードに基づいて、ＣＰＵバス３２０に接続されたデバイスを制御するＣＰＵである。３０７は、ＣＰＵ３０９が使用する一時記憶用メモリとしてのＲＡＭであり、図示しない増設ポートに接続されるオプションＲＡＭによりメモリ容量を拡張できるように構成されている。ＲＡＭ３０７は、ＲＯＭ３０４に保持された制御プログラムによって一時的に使用されるワークメモリ等に用いられる。３１０は、例えば、濃度補正テーブル等の制御情報を保持するための不揮発性メモリで構成される。３０８は、ＤＭＡ制御部であり、ＣＰＵ３０９からの指示により画像メモリ３０５内のラスタデータをエンジンインタフェース部３０６に転送する。
【００６４】
３２０は、アドレス、データ、コントロールバスを含むＣＰＵバスである。パネルインタフェース部３０１、ホストインタフェース部３０２、画像データ発生部３０３、ＲＯＭ３０４、画像メモリ３０５、エンジンインタフェース部３０６、ＲＡＭ３０７、ＤＭＡ制御部３０８、ＣＰＵ３０９及びＥＥＰＲＯＭ３１０は、それぞれＣＰＵバス３２０に接続されたすべてのデバイスにアクセス可能である。
【００６５】
次に、本発明の詳細を実施例の記述に従って説明する。
【００６６】
次に本実施形態の詳細をフローチャート（図４）を用いて説明する。
【００６７】
Ｓ４０１は、パネルやドライバ等から指定される部番やページ番号を付加する場所情報を取得する。例えば、用紙の“右上”、“右下”、“真中上”、“真中下”、“左上”、“左下”等といった設定がなされ、プリンタではその場所に対応付けた座標、または領域をあらかじめ保持しておき、その情報を取得してくる。また、パネルやドライバ等から直接座標や領域を指定された場合、直接その値を取得してきても構わない。Ｓ４０２は、Ｓ４０１で取得した位置にページ番号、もしくは部番がくるような、オーバレイ画像を生成する。各番号の情報に関しては、あらかじめフォントとしてプリンタ内に保持しておき、そのフォント情報を用いてオーバレイ画像を生成する。Ｓ４０３は、Ｓ４０１で取得した位置に、元の画像中に描画するオブジェクトが存在するか識別する。ここでは、グラフィックやイメージ、もしくは文字などの描画オブジェクトが存在するか識別する。識別方法としては、該描画オブジェクトのバウンディングボックス（描画オブジェクトが描画される領域）を用いて、部番もしくは、ページ番号が描画される領域と重なりがあるか識別する。Ｓ４０４は、Ｓ４０３で部番・ページ番号のオーバレイ画像と各描画オブジェクトとに重なりが検知された際に実行され、オーバレイ画像と元画像を重ね合わせる際に、オーバレイ画像を重ならないようにずらす処理を行う。ずらす個所は部番・ページ番号の領域サイズ分、白紙もしくは何も描画されない個所を検索してずらす場所を決める。検索方法は、あらかじめずらす位置の候補を保持しておき、その領域に描画オブジェクトが存在するか検索をしていき、存在しない領域をずらす位置として決定する。Ｓ４０５は、Ｓ４０４でずらした個所へのオーバレイ処理、もしくは、Ｓ４０３で重なりが見られなかった際にそのままの個所にオーバレイ処理を行う。
【００６８】
［部番・ページ番号の位置情報］
次に本実施形態の部番及びページ番号の位置の詳細を、図５を用いて説明する。
【００６９】
Ｓ４０２で生成するオーバレイ画像は、用紙のどこにナンバリングするか設定（（例）“右上”、“右下”、“真中上”、“真中下”、“左上”、“左下”等）に応じて生成される。その設定に応じた座標が図５で示す各値である。５０１は、左上が指定された場合にナンバリングするオフセットである。同様に、５０２は、左下が指定された場合にナンバリングするオフセットである。５０３は、真中上が指定された場合にナンバリングするオフセットである。５０４は、真中下が指定された場合にナンバリングするオフセットである。５０５は、右上が指定された場合にナンバリングするオフセットである。５０６は、右下が指定された場合にナンバリングするオフセットである。それぞれ指定に従ってオフセットの場所にナンバリング番号が配置されるようにオーバレイ画像を生成する。
【００７０】
［重なり検知処理］
次に本実施形態の重なり検知処理の詳細を、図６を用いて説明する。
【００７１】
オーバレイ画像（６０１）は、Ｓ４０２で生成される部番・ページ番号のオーバレイ画像である。ページ番号（Font）オブジェクト（６０３）を用いて、図のような場合、“真中下”と指定があり、あらかじめ“真中下”の位置の座標情報を保持しておき、その個所に印字されるようにオーバレイ画像を生成する。アプリ画像（６０２）は、部番、もしくはページ番号を付加する元のアプリ画像である。ページ番号（Font）オブジェクト（６０３）は、あらかじめプリンタが保持するフォント情報である。Imageオブジェクト（６０４）とFontオブジェクト（６０５）は、アプリ画像（６０２）に含まれる描画オブジェクトの一つである。バウンディングボックス１（６０６）は、ページ番号（Font）オブジェクト（６０３）のバウンディングボックスである。アプリ画像（６０２）を印刷する際に、指定されたページの個所（ここでは“真中下”）を元に生成されるものであり、部番もしくはページ番号の位置を示すバウンディングボックスである。バウンディングボックス２（６０７）は、Imageオブジェクト（６０４）のバウンディングボックスである。この値を元にし重なりを検知する処理が行われ、バウンディングボックス３（６０６）と重ならないことが検知される。バウンディングボックス２（６０８）は、Fontオブジェクト（６０５）のバウンディングボックスである。この値を元にし重なりを検知する処理が行われ、バウンディングボックス１（６０６）と重なることが検知される。このように、各描画オブジェクトのバウンディングボックスと部番もしくはページ番号のバウンディングボックスを比較していくことで、重なりを検知する。また、ここでは重なりを検知するある一例の処理を示したが、他の処理を行っても構わない。
【００７２】
［ずらし処理］
次に本実施形態の重なりをずらす処理の詳細を、図７のフローチャートを用いて説明する。
【００７３】
Ｓ７０１は、Ｓ４０３で重なりを検知した際のオフセットから、図５で示したナンバリングする候補の個所の中で、一番近い個所を探索する。例えば、“左下”を元々設定したが重なりが検知された場合、左下から一番近いナンバリング個所は“真中下”となる。従って、ここでは真中下を検知する処理を行う。Ｓ７０２は、Ｓ７０１で検知した個所が描画オブジェクトと重なるか識別する。識別方法は前記した重なり検知方法を用いて行う。また従来の別の処理を用いて検知を行っても構わない。Ｓ７０３は、Ｓ７０２で識別した重なりを元に処理を分岐させる。もし重なりが検知されていた場合、再度、Ｓ７０１，Ｓ７０２の処理を繰り返す。また、重なりが検知されなかった場合、Ｓ７０４の処理に進む。Ｓ７０４は、Ｓ７０１で検索した個所にオーバレイ印刷されるように画像をずらしてオーバレイ処理を行う。
【図面の簡単な説明】
【００７４】
【図１】本実施形態に関わる、画像記録装置のシステム構成の概略を示す図
【図２】本実施形態に関わる、プリンタの一構成例を示す断面図
【図３】本実施形態に関わる、プリンタコントローラの構成例を示すブロック図
【図４】本発明の実施形態による印刷処理装置の処理の詳細を示すフローチャート
【図５】本発明の実施形態に関わる、部番及びページ番号の位置の詳細を示す図。
【図６】本発明の実施形態に関わる、重なり検知処理の詳細を示す図。
【図７】本発明の実施形態に関わる、重なりをずらす処理の詳細を示すフローチャート。
【符号の説明】
【００７５】
１０１  データ処理装置  １０２  画像記録装置
１０３  プリンタコントローラ
１０４  パネル部
１０５  プリンタエンジン
２０１  プリンタ筐体
２０２  操作パネル
２０３  ボード収納部
２０４ａ，２０４ｂ，２０４ｃ，２０４ｄ  画像記録部
２０５ａ，２０５ｂ，２０５ｃ，２０５ｄ  感光ドラム
２０６ａ，２０６ｂ，２０６ｃ，２０６ｄ  レーザスキャナ部
２０７ａ，２０７ｂ，２０７ｃ，２０７ｄ  レーザユニット
２０８ａ，２０８ｂ，２０８ｃ，２０８ｄ  ポリゴンミラー（回転多面鏡）
２２０  用紙カセット
２２１  カセットクラッチ
２２２  給紙ローラ
２２３  用紙検知センサ
２２４  レジストシャッタ
２２５  吸着ローラ
２３０  手差しトレイ
２３１  手差し給紙クラッチ
３２２  手差し給紙ローラ
２５０  用紙搬送ベルト
２５１〜２５４  回転ローラ
２６０  定着器
２６１  搬送ローラ
２６２  排紙センサ
２６３  排紙ローラ兼両面印刷用搬送路切替えローラ
２６４  排紙トレイ
２６５  排紙積載量検知センサ
２７０  両面印刷用搬送路
２７１〜２７４  両面搬送ローラ
３０１  パネルＩ／Ｆ部
３０２  ホストＩ／Ｆ部
３０３  画像データ発生部
３０４  ＲＯＭ
３０５  画像メモリ
３０６  エンジンＩ／Ｆ部
３０７  ＲＡＭ
３０８  ＤＭＡ制御部
３０９  ＣＰＵ
３１０  ＥＥＰＲＯＭ
３１１  ハードディスク
３２０  ＣＰＵバス
【図１】
2007069586.tif 000003
【図２】
2007069586.tif 000004
【図３】
2007069586.tif 000005
【図４】
2007069586.tif 000006
【図５】
2007069586.tif 000007
【図６】
2007069586.tif 000008
【図７】
2007069586.tif 000009